(57)【要約】      （修正有）【課題】候補者の存在を有権者により深く印象づけることができる政治用ポスターを提供する。【解決手段】紙２の一面に、候補者の写真、氏名、及び所属政党名の各表示項目を印刷してなる政治用ポスター１であって、見る者を前記各表示項目の全部または一部が飛び出しているかのように錯視させる錯視処理が施されており、紙は、所定の厚さを有する透明層と、前記透明層を挟んで厚み方向に対向する基底層及び表面層とを含む多層構造をなしており、基底層に背景色または背景画像が記されており、表面層に、候補者の写真、氏名、及び所属政党名が記されていることを特徴とする。【選択図】図１
0003183460.tif 000002
【実用新案登録請求の範囲】
【請求項１】
紙の一面に、候補者の写真、氏名、及び所属政党名の各表示項目を印刷してなる政治用ポスターであって、見る者を前記各表示項目の全部または一部が飛び出しているかのように錯視させる錯視処理が施されていることを特徴とする政治用ポスター。
【請求項２】
前記紙は、所定の厚さを有する透明層と、前記透明層を挟んで厚み方向に対向する基底層及び表面層とを含む多層構造をなしており、前記基底層に背景色または背景画像が記されており、前記表面層に、前記候補者の写真、氏名、及び所属政党名が記されていることを特徴とする請求項１に記載の政治用ポスター。
【考案の詳細な説明】
【技術分野】
【０００１】
この考案は、政治用ポスターに係り、特に、公職選挙法１４４条の２に規定する掲示場における候補者の区画に掲示するポスターに関する。
【背景技術】
【０００２】
この種のポスターに関わる技術を開示した文献として、特許文献１がある。同文献１に開示された選挙用ポスターは、立候補者の支援団体名称及び立候補者の氏名を各々記載する各欄を用紙の上部及び下部に設けるとともに、これらの欄の間の左側に支援者や支援団体が要求する政策を記載する空白欄を設けたものである。この技術によると、有権者は、どの団体、会がどのような政策を立候補者に期待しているかを、ポスターを一見しただけで了解することができる。
【先行技術文献】
【特許文献】
【０００３】
【特許文献１】特開２０００−３２１９８１号公報
【非特許文献１】フィービ・マクノートン、錯視芸術、創元社、２０１０年８月２０日
【非特許文献２】杉原厚吉、錯視図鑑〜脳がだまされる錯視の世界〜、成文堂新光社、２０１２年７月３１日
【考案の概要】
【考案が解決しようとする課題】
【０００４】
政治用ポスターは、候補者が自身の政策や人柄を有権者に知らせるための数少ない手段の一つである。このため、候補者の存在を有権者により深く印象づけることができる政治用ポスターの提供が望まれているが、このような要請に応える技術は未だ実現されていない。
【０００５】
本考案は、このような背景の下に案出されたものであり、候補者の存在を有権者により深く印象づけることができる政治用ポスターを提供することを目的とする。
【課題を解決するための手段】
【０００６】
上記課題を解決するため、本考案は、紙の一面に、候補者の写真、氏名、及び所属政党名の各表示項目を印刷してなる政治用ポスターであって、見る者に前記各表示項目の全部または一部が飛び出しているかのような錯視を起こさせる錯視処理が施されている政治用ポスターを提供する。
【０００７】
この考案では、政治用ポスターを見る者は、政治用ポスターの候補者写真、候補者氏名、候補者所属政党が飛び出しているかのように錯覚する。よって、本考案によると、政治用ポスターに記されている候補者の存在を有権者により深く印象づけることができる。
【図面の簡単な説明】
【０００８】
【図１】本考案の一実施形態である政治用ポスターの正面図である。
【図２】本考案の一実施形態である政治用ポスター内の文字の拡大図およびその部分の断面図である。
【図３】本考案の一実施形態である政治用ポスターの錯視処理の内容を説明するための図である。
【考案を実施するための形態】
【０００９】
以下、図面を参照しつつ本考案の実施形態について説明する。
図１は、本考案の一実施形態である政治用ポスター１の正面図である。この政治用ポスター１は、公職選挙の候補者（以下、候補者）が、公職選挙法第１４３条１９項各号の期間中に同法１４４条の２に示す掲示場の該当区画に貼付するものである。この政治用ポスター１は、掲示場の該当区画に収まる寸法を有している。この政治用ポスター１は、矩形状の紙２（ユポ紙などの耐水性を有する紙）の一面に、候補者の写真、候補者の氏名（図１の例では、「民意太郎」）、候補者の所属政党名（図１の例では「民意党」）の各表示項目３−ｋ（ｋ＝１〜３）を印刷したものである。この政治用ポスター１には、ポスター１を見る者を表示項目３−ｋ（ｋ＝１〜３）である写真、氏名、所属政党名が飛び出しているかのように錯視させる錯視処理が施されている。
【００１０】
ここで、政治用ポスター１における錯視処理は、種々の態様により実現し得る。たとえば、政治用ポスター１の紙２を、所定の厚みを有する透明層ＬＹＴとこの透明層ＬＹＴを挟んで厚み方向に離間した基底層ＬＹＢ及び表面層ＬＹＳの３層を含む多層構造にし、基底層ＬＹＢに背景色または背景画像を記し、表面層ＬＹＳに候補者写真、候補者氏名、及び候補者所属政党を記すとよい。図２（Ａ）は、この態様の錯視処理により図１の政治用ポスター１を構成した場合における候補者氏名の「太」の文字の周囲を示す図である。図２（Ｂ）は、図２（Ａ）のＢ−Ｂ’線断面図である。ここで、簡便のため、図２（Ｂ）における厚み方向の寸法は実際のものよりも拡大してある。
【００１１】
図２（Ａ）及び図２（Ｂ）において、政治用ポスター１の紙２の基底層ＬＹＢは厚みＷ１（例えば、Ｗ１＝７０μｍ）を有している。基底層ＬＹＢには背景色（たとえば、青色）のインク９が塗られている。基底層ＬＹＢの上には透明素材により透明層ＬＹＴが形成されている。政治用ポスター１の透明層ＬＹＴは厚みＷ２（例えば、Ｗ２＝７００μｍ）を有している。透明層ＬＹＴの上には表面層ＬＹＳが形成されている。表面層ＬＹＳは、厚みＷ３（例えば、Ｗ３＝７０μｍ）を有している。透明層ＬＹＴには、基底層ＬＹＢのインク９と異なる色で文字が記されている。このため、図３（Ａ）及び図３（Ｂ）に示すように、政治用ポスター１に表面層ＬＹＳ側から光が当たると基底層ＬＹＢ上に表面層ＬＹＳの文字の影ができ、この影が政治用ポスター１を見る方向や日光の入射方向によって変化する。このため、このため、政治用ポスター１を見る者は、表面層ＬＹＳの文字が飛び出しているかのように錯覚する。
【００１２】
以上が、本実施形態の構成の詳細である。本実施形態では、政治用ポスター１を見る者は、政治用ポスター１の候補者写真、候補者氏名、候補者所属政党が飛び出しているかのように錯覚する。よって、本実施形態によると、政治用ポスター１に記されている候補者の存在を有権者により深く印象づけることができる。
【００１３】
以上、本考案の一実施形態について説明したが、かかる実施形態に以下の変形を加えてもよい。
（１）上記実施形態において、政治用ポスター１の錯視処理の態様は、図２及び図３に示したものに限らない。たとえば、政治用ポスター１における候補者写真、候補者氏名、候補者所属政党名を描く色とその背景を描く色の濃淡により錯視効果を創出してもよい（たとえば、非特許文献１の２８頁〜２９頁を参照）。また、ツウェルナー錯視、ポッケンドルフ錯視、カフェウォール錯視、ジャスロー錯視、シェパードの錯視、エビングハウス錯視、ミュラー・リヤー錯視、ポンゾ錯視、フレーザーのうずまき錯視、フィック錯視、へリング錯視等の各種錯視を引き起こす図柄やパターンにより候補者写真、候補者氏名、候補者所属政党名を描いてもよい（たとえば、非特許文献２の１６頁〜６２頁参照）。
【００１４】
（２）上記実施形態では、候補者写真、候補者氏名、及び候補者所属政党名の全てが飛び出して見えるかのような錯視処理が施されていた。しかし、候補者写真、候補者氏名、及び候補者所属政党名のうち一部の表示項目３−ｋだけが飛び出して見えるようにしてもよい。
【符号の説明】
【００１５】
１…政治用ポスター、２…用紙、３…表示項目、ＬＹＢ…基底層、ＬＹＳ…表面層、ＬＹＴ…透明層。
【図１】
0003183460.tif 000003
【図２】
0003183460.tif 000004
【図３】
0003183460.tif 000005
【手続補正書】
【提出日】平成25年3月8日(2013.3.8)
【手続補正１】
【補正対象書類名】実用新案登録請求の範囲
【補正対象項目名】全文
【補正方法】変更
【補正の内容】
【実用新案登録請求の範囲】
【請求項１】
紙の一面に、候補者の写真、氏名、及び所属政党名の各表示項目を印刷してなる政治用ポスターであって、見る者を前記各表示項目の全部または一部が飛び出しているかのように錯視させる錯視処理が施されており、
前記紙は、所定の厚さを有する透明層と、前記透明層を挟んで厚み方向に対向する基底層及び表面層とを含む多層構造をなしており、前記基底層に背景色または背景画像が記されており、前記表面層に、前記候補者の写真、氏名、及び所属政党名が記されていることを特徴とする政治用ポスター。